(57)【要約】  遊技台（１）において、二重映像表示を行う液晶モジュール（２）の表示面から出射された画像光(Ｌ１)は、直接枠（４ｂ）の窓を通して、正面の遊技者に到達する。また、液晶モジュール（２）の表示面から出射された画像光(Ｌ２)は、鏡面部材（３）の反射面によって反射された後、枠（４ｂ）の窓を通して、同じく正面の遊技者に到達する。遊技者は、画像光(Ｌ１)から第１の画像を認識し、画像光(Ｌ２)から第２の画像を認識する。こうして、第１の画像と第２の画像とを遊技台（１）の背景画像として遊技者に提供する。これにより、大画面を表示させることが可能でありながら遊技機の小型化および低価格化を図ることのできる表示装置を備えた遊技機を実現する。
2008032474.tif 000002
【特許請求の範囲】
【請求項１】
第１の角度範囲と第２の角度範囲とに互いに異なる画像の画像光を出射可能な液晶表示装置と、前記液晶表示装置から前記第２の角度範囲に出射された画像光を反射する反射部材とを備え、
前記液晶表示装置から前記第１の角度範囲に出射された画像光と、前記反射部材によって反射された画像光とにより、遊技者からのアクションに応じて遊技内容が展開される遊技台の背景画像を表示することを特徴とする遊技機。
【請求項２】
前記液晶表示装置の表示面と前記反射部材の反射面とが１８０°未満の角度をなして対向するように、前記液晶表示装置と前記反射部材とが互いに接続されていることを特徴とする請求の範囲第１項に記載の遊技機。
【請求項３】
前記角度が調節可能であることを特徴とする請求の範囲第２項に記載の遊技機。
【請求項４】
前記反射部材の反射面が、前記遊技内容を展開するための部材が設けられているステージとなっていることを特徴とする請求の範囲第２項または第３項に記載の遊技機。
【請求項５】
前記反射部材の反射面が斜め上方を向いていることを特徴とする請求の範囲第４項に記載の遊技機。
【請求項６】
前記液晶表示装置の表示面と前記反射部材の反射面との前方に、前記遊技内容を展開するための部材が設けられているステージを備えており、前記液晶表示装置から前記第１の角度範囲に出射された前記画像光と、前記反射部材によって反射された前記画像光とは前記ステージを透過することを特徴とする請求の範囲第２項または第３項に記載の遊技機。
【請求項７】
前記反射部材は、反射面が鏡面であることを特徴とする請求の範囲第１項から第６項までのいずれか１項に記載の遊技機。
【請求項８】
前記第１の角度範囲に出射された画像光と、前記反射部材によって反射された画像光とにより、１つの画像が形成されることを特徴とする請求の範囲第１項から第７項までのいずれか１項に記載の遊技機。
【請求項９】
遊戯者の視線に対して、前記液晶表示装置の表示面がなす角度と、前記反射部材の反射面がなす角度とが等しくなるように、前記角度が調節されることを特徴とする請求の範囲第３項から第５項までのいずれか１項に記載の遊技機。
【請求項１０】
パチンコ、スロットマシン、パチンコスロット、ピンボール、および、スマートボールの中から選択される１つであることを特徴とする請求の範囲第１項から第９項までのいずれか１項に記載の遊技機。
【発明の詳細な説明】
【技術分野】
【０００１】
本発明は、光学的な表示装置を備える遊技機に関するものである。
【背景技術】
【０００２】
従来、パチンコ機やスロットマシン等の遊技機において、プロジェクタタイプの光学的表示装置を備えたものが提案されている。【０００３】
図８に、特許文献１に開示された遊技機であるパチンコ機１１２の構成を示す。【０００４】
パチンコ機１１２は、筐体１１４内の下部に投影部１２２を備えている。投影部１２２から投影された映像の投影光Ｒは、リフレクタ１６６によって反射されてフレネルレンズ１４８に照射され、スクリーン１４６の背面上に投影される。そして、このスクリーン１４６への投影光Ｒが、該スクリーン１４６に接して筐体１１４の前面に設けられた遊技盤１４４全体に表示されるようになっている。【０００５】
また、図９に、特許文献２に開示された遊技機であるパチンコ台２０１の構成を示す。【０００６】
パチンコ台２０１は、筐体２３５内の下部に光学エンジン２３１を備えている。光学エンジン２３１から出射された投影光Ｌｐは、反射ミラー２３３によって反射されてスクリーンパネル２３２の背面に投射される。これにより、スクリーンパネル２３２は遊技用画像を表示し、この画像は、筐体２３５の前面外側に設けられた遊技盤２２１を通して視認される。また、パチンコ台２０１は反射ミラー２３３の裏面側に冷却装置２３４を備えており、該冷却装置２３４は、筐体２３５内の熱を冷却水によって吸収するようになっている。
【特許文献１】日本国公開特許公報「特開２００４−１８０７７０号公報（公開日：２００４年７月２日）」
【特許文献２】日本国公開特許公報「特開２００５−１１１０６７号公報（公開日：２００５年４月２８日）」
【特許文献３】日本国公開特許公報「特開２００５−２５８０１６号公報（公開日：２００５年９月２２日）」
【発明の開示】
【０００７】
しかしながら、特許文献１の遊技機も、特許文献２の遊技機も、プロジェクタタイプの表示装置を用いているために、筐体内にこの表示装置の投射空間を大きくとる必要がある。従って、遊技機全体が大きくなるとともに価格の高いものになってしまうという問題が発生する。遊技機の大きさが表示装置の都合で決定されてしまうと、遊技機全体のデザインの自由度も小さくなる。
【０００８】
さらに、特許文献２に冷却装置２３４が設けられていることからも分かるように、プロジェクタタイプの表示装置では発熱量が多いので、周辺部材を追加することによる価格の上昇をももたらすという問題がある。
【０００９】
このように、従来の遊技機では、大画面を表示するためにプロジェクタタイプの表示装置を用いることにより、遊技機の小型化および低価格化が阻害されていた。
【００１０】
本発明は、上記の問題点に鑑みてなされたものであり、その目的は、大画面を表示させることが可能でありながら遊技機の小型化および低価格化を図ることのできる表示装置を備えた遊技機を実現することにある。
【００１１】
本発明の遊技機は、上記課題を解決するために、第１の角度範囲と第２の角度範囲とに互いに異なる画像の画像光を出力可能な液晶表示装置と、前記液晶表示装置から前記第２の角度範囲に出射された画像光を反射する反射部材とを備え、前記液晶表示装置から前記第１の角度範囲に出射された画像光と、前記反射部材によって反射された画像光とにより、遊技者からのアクションに応じて遊技内容が展開される遊技台の背景画像を表示することを特徴としている。
【００１２】
上記の発明によれば、液晶表示装置は第１の角度範囲と第２の角度範囲とに互いに異なる画像の画像光を出射し、第１の角度範囲に出射した画像光と、第２の角度範囲に出射して反射部材によって反射させた画像光とにより、遊技台の背景画像を表示する。従って、液晶表示装置から第１の角度範囲に出射された画像光による画像と、反射部材によって反射された画像光による画像とを合わせて大面積の背景画像を表示することができるが、表示装置としては背景画像の大きさよりも小さな表示面を有するとともに、プロジェクタタイプの表示装置のように大きな投射空間が不要となる液晶表示装置を用いる。また、表示装置に液晶表示装置を用いることにより、プロジェクタタイプの表示装置のように冷却装置などの高価な周辺部材が不要となる。このようにして、遊技機の小型化および低価格化を達成することが可能となる。
【００１３】
以上により、大画面を表示させることが可能でありながら遊技機の小型化および低価格化を図ることのできる表示装置を備えた遊技機を実現することができるという効果を奏する。
【００１４】
本発明の遊技機は、上記課題を解決するために、前記液晶表示装置の表示面と前記反射部材の反射面とが１８０°未満の角度をなして対向するように、前記液晶表示装置と前記反射部材とが互いに接続されていることを特徴としている。
【００１５】
上記の発明によれば、液晶表示装置の表示面と反射部材の反射面とが１８０°未満の角度をなして対向するように、液晶表示装置と反射部材とが互いに接続されているので、液晶表示装置から第１の角度範囲に出射された画像光による画像と、反射部材によって反射された画像光による画像とを連続的につなげた背景画像を表示することができるという効果を奏する。
【００１６】
本発明の遊技機は、上記課題を解決するために、前記角度が調節可能であることを特徴としている。
【００１７】
上記の発明によれば、液晶表示装置の表示面と反射部材の反射面とのなす角度が調節可能であるので、遊技機に対する遊技者の位置に応じた角度に調節することにより、背景画像を各遊技者に適切に提供することができるという効果を奏する。
【００１８】
本発明の遊技機は、上記課題を解決するために、前記反射部材の反射面が、前記遊技内容を展開するための部材が設けられているステージとなっていることを特徴としている。
【００１９】
上記の発明によれば、反射部材の反射面が、遊技内容を展開するための部材が設けられているステージとなっているので、反射部材上の領域が遊技内容が展開される領域として有効に利用され、遊技機のいっそうの小型化を図ることができるという効果を奏する。
【００２０】
本発明の遊技機は、上記課題を解決するために、前記反射部材の反射面が斜め上方を向いていることを特徴としている。
【００２１】
上記の発明によれば、反射部材の反射面が斜め上方を向いているので、遊技球の落下移動などの重力を利用した遊技内容を展開することができるという効果を奏する。
【００２２】
本発明の遊技機は、上記課題を解決するために、前記液晶表示装置の表示面と前記反射部材の反射面との前方に、前記遊技内容を展開するための部材が設けられているステージを備えており、前記液晶表示装置から前記第１の角度範囲に出射された前記画像光と、前記反射部材によって反射された前記画像光とは前記ステージを透過することを特徴としている。
【００２３】
上記の発明によれば、液晶表示装置の表示面と反射部材の反射面との前方に、遊技内容を展開するための部材が設けられているステージを備えている場合に、液晶表示装置から第１の角度範囲に出射された画像光と、反射部材によって反射された画像光とをステージを透過させて、遊技台の背景画像を表示することができるという効果を奏する。また、遊技内容が展開される領域が大きい場合でも、遊技台の背景画像を表示することができるという効果を奏する。
【００２４】
本発明の遊技機は、上記課題を解決するために、前記反射部材は、反射面が鏡面であることを特徴としている。
【００２５】
上記の発明によれば、反射部材が、液晶表示装置から第２の角度範囲に出射された画像光を反射することで、鮮明な反射画像を得ることができるという効果を奏する。
【００２６】
本発明の遊技機は、上記課題を解決するために、前記第１の角度範囲に出射された画像光と、前記反射部材によって反射された画像光とにより、１つの画像が形成されることを特徴としている。
【００２７】
上記の発明によれば、上記液晶表示装置の画面よりも大画面の背景画像を得ることができるという効果を奏する。
【００２８】
本発明の遊技機は、上記課題を解決するために、遊戯者の視線に対して、前記液晶表示装置の表示面がなす角度と、前記反射部材の反射面がなす角度とが等しくなるように、前記角度が調節されることを特徴としている。
【００２９】
上記の発明によれば、遊戯者の視線に対して上記の角度設定を行うことにより、最も良好な背景画像の表示を行うことができるという効果を奏する。
【００３０】
本発明の遊技機は、上記課題を解決するために、パチンコ、スロットマシン、パチンコスロット、ピンボール、および、スマートボールの中から選択される１つであることを特徴としている。
【００３１】
上記の発明によれば、汎用の遊技機において、大画面を表示させることが可能でありながら遊技機の小型化および低価格化を図ることができるという効果を奏する。
【００３２】
本発明の他の目的、特徴、および優れた点は、以下に示す記載によって十分分かるであろう。また、本発明の利点は、添付図面を参照した次の説明によって明白になるであろう。
【図面の簡単な説明】
【００３３】
【図１】本発明の実施形態を示すものであり、遊技台の要部構成を示す斜視図である。
【図２】図１の遊技台が備える液晶表示装置および反射部材の側面図である。
【図３】図１の遊技台が備える液晶表示装置および反射部材と遊技者との位置関係を示す側面図である。
【図４】図１の遊技台が備える液晶表示装置および反射部材により形成される遊技台の背景画像を示す正面図である。
【図５】二重映像表示が可能な液晶表示装置の液晶表示パネルの構成を示す断面図である。
【図６】本発明の実施形態を示すものであり、遊技台の第１の変形例の要部構成を示す側面図である。
【図７】本発明の実施形態を示すものであり、遊技台の第２の変形例の要部構成を示す側面図である。
【図８】従来技術を示すものであり、遊技機の第１の構成を示す断面図である。
【図９】従来技術を示すものであり、遊技機の第２の構成を示す断面図である。
【符号の説明】
【００３４】
１        遊技台
２        液晶モジュール（液晶表示装置）
３        鏡面部材（反射部材）
３ａ、５ａ
遊技内容を展開するための部材
５        ステージ
Ｌ１、Ｌ２
画像光
Ｐ        遊技者
【発明を実施するための最良の形態】
【００３５】
本発明の一実施形態について図１ないし図７に基づいて説明すると以下の通りである。【００３６】
図１に、本実施形態に係る遊技機に備えられる遊技台１の構成を示す。【００３７】
遊技台１は、液晶モジュール２、鏡面部材３、および、遊技台枠４を備えている。【００３８】
液晶モジュール（液晶表示装置）２は、第１の角度範囲と第２の角度範囲とに互いに異なる画像の画像光を出力可能な構成であり、例えば図５に示す特許文献３の液晶表示パネル３０１を用いることができる。【００３９】
図５の液晶表示パネル３０１は、透明電極（図示せず）および配向膜（図示せず）が形成された２枚の透明基板３１１・３１１間に、液晶層３１２、カラーフィルタ３１３、厚膜樹脂層３１４、視差バリア層３１５を形成してなる構成である。また、２枚の透明基板３１１・３１１のそれぞれの外側には偏光板３１６が配置されている。さらに、液晶表示パネル３０１の前面側（観察者側）の偏光板３１６の外側にフロントライトユニット３２１が、液晶表示パネル３０１の背面側の偏光板３１６の外側にバックライトユニット３２２が、それぞれ設けられている。【００４０】
特許文献３では、上記構成の液晶表示パネル３０１が第１の角度範囲と第２の角度範囲とに互いに異なる画像の画像光を出力することを「二重映像表示」と称している。液晶表示パネル３０１が二重映像表示を行うときには、フロントライトユニット３２１を消灯させるとともに、バックライトユニット３２２を点灯させる。バックライトユニット３２２から出射された光のうち、視差バリア層３１５からカラーフィルタ３１３のＡの領域を通過する光は、観察者Ａの方向に向かう画像光Ｌ１となる。また、バックライトユニット３２２から出射された光のうち、視差バリア層３１５からカラーフィルタ３１３のＢの領域を通過する光は、観察者Ｂの方向に向かう画像光Ｌ２となる。【００４１】
画像光Ｌ１・Ｌ２は、それぞれ、液晶表示パネル３０１の正面方向から互いに逆向きにある角度だけずれた方向の光である。画像光Ｌ１からは第１の画像を認識することができ、画像光Ｌ２からは第２の画像を認識することができる。第１の画像および第２の画像はともにある程度の視野角を有しているので、画像光Ｌ１・Ｌ２が向かう角度は、それぞれある範囲を有しており、液晶表示パネル３０１の正面方向を角度の基準方向として、画像光Ｌ１が角度範囲（第１の角度範囲）β１、画像光Ｌ２が角度範囲（第２の角度範囲）β２の方向に向かっているとする。【００４２】
鏡面部材（反射部材）３は、光を反射する反射面を有する部材であって、ここでは表面が鏡面に仕上げられた構成を有する。表面を鏡面に仕上げるには、表面に錫の金属膜をコーティングしたり、表面付近を研磨した金属体で構成したりする、周知の方法を使用することができる。なお、ここでは画像光Ｌ２の反射面を鏡面としているが、必ずしも鏡面である必要はなく、反射された画像光Ｌ２により形成しようとする画像の質に応じて適宜表面状態が決定されるものである。【００４３】
また、この鏡面部材３の反射面上には、遊技内容を展開するための部材３ａ…が設けられている。図１ではパチンコ台を想定した構成が図示されており、当該部材３ａは、釘や役物、パチンコ玉のガイド板など、遊技球であるパチンコ玉に作用することによりパチンコ玉の運動という遊戯内容を展開させる部材を指す。反射面には、パチンコ玉を回収する穴も形成されている。このように、鏡面部材３の反射面は、遊技内容を展開するための部材３ａ…が設けられたステージとなっている。なお、遊技内容を展開するための部材３ａ…は、鏡面を有していてもいなくてもよい。【００４４】
また、上記遊技内容は遊技者からのアクションに応じて展開されるものであって、パチンコ台の場合には遊技者がパチンコ玉を発射する行為がこれに相当する。この他に、遊技機一般に対しては、遊技機に対する操作や、コインの投入、発声、加力、加圧、加熱など、遊技機が認識可能な様々な行為が遊技者からのアクションとなり得る。【００４５】
上記液晶モジュール２と上記鏡面部材３とは、図２の側面図に示すように、液晶モジュール２の表示面と鏡面部材３の反射面とが１８０°未満の角度αをなして対向するように接続されている。図１では、液晶モジュール２も鏡面部材３も矩形板状に構成されてその一端辺部どうしが接続されている。この場合では、液晶モジュール２は上側に、鏡面部材３は下側にそれぞれ配置されており、液晶モジュール２の表示面から出射された画像光Ｌ２が鏡面部材３の反射面に入射するように、液晶モジュール２の方向が定められている。【００４６】
遊技台枠４は、枠４ａと枠４ｂとを備えている。枠４ａは液晶モジュール２と鏡面部材３とを収める奥行きを有した箱状部材であり、枠４ｂは、枠４ａ内に収められた液晶モジュール２の表示面側と鏡面部材３の反射面側とが窓を通して外側から視認可能なように、上記窓とその窓枠とから構成されて枠４ａの蓋体となる部材である。【００４７】
上記構成の遊技台１において、液晶モジュール２の表示面から出射された画像光Ｌ１は、直接枠４ｂの窓を通して、図３に示された正面の遊技者Ｐに到達する。また、液晶モジュール２の表示面から出射された画像光Ｌ２は、鏡面部材３の反射面によって反射された後、枠４ｂの窓を通して、同じく正面の遊技者Ｐに到達する。遊技者Ｐは、画像光Ｌ１から第１の画像を認識し、画像光Ｌ２から第２の画像を認識する。こうして、第１の画像と第２の画像とは遊技台１の背景画像として遊技者Ｐに提供される。液晶モジュール２と鏡面部材３とは互いに接続されているので、第１の画像と第２の画像とは背景画像において連続的につながり、背景画像の上側が第１の画像で構成され、下側が第２の画像で構成される。第１の画像と第２の画像とで１つの画像となるように液晶モジュール２に画像データを与えれば、図４に示すように大画面の背景画像を得ることができる。【００４８】
図３には、遊技台１と遊技者Ｐとの位置関係が示されている。遊技者Ｐの視線に対して、液晶モジュール２の表示面がなす角度θ１と、鏡面部材３の反射面がなす角度θ２とがほぼ等しいときに、最も良好な背景画像の表示を行うことができる。従って、遊技者Ｐが変わればその視線も変わるため、図２の、液晶モジュール２の表示面と鏡面部材３の反射面とのなす角度αを調節可能として遊技者Ｐごとに角度αを調節することができるようにするとよい。角度αを、遊技機に対する遊技者Ｐの位置に応じた角度に調節することにより、背景画像を各遊技者Ｐに適切に提供することができる。また、遊技台１全体を鉛直上下方向に移動可能として、角度αを一定に保ったまま、遊技台１の高さを遊技者Ｐの水平視線高さに合わせる調節を行うことができるようにしてもよい。【００４９】
次に、図６に、遊技台１をスロットマシンやパチンコスロットに応用した場合の、液晶モジュール２および鏡面部材３からなる構成の簡略側面図を示す。液晶モジュール２は図１と同じものであり、鏡面部材３が中央部に、遊技内容を展開するための部材３ａとしてドラムを備えているところが異なっている。このドラム内でリールが回転する。液晶モジュール２の表示面から出射された画像光Ｌ２は、ドラム以外の箇所に設けられた反射面で反射されるようになっている。【００５０】
以上の遊技台１を、その他の駆動機構や電源供給機構、架台などと組み合わせると、遊技機全体を構成することができる。【００５１】
このように、本実施形態によれば、液晶モジュール２から出射された画像光Ｌ１による第１の画像と、鏡面部材３によって反射された画像光Ｌ２による第２の画像とを合わせて大面積の背景画像を表示することができるが、表示装置としては背景画像の大きさよりも小さな表示面を有するとともに、プロジェクタタイプの表示装置のように大きな投射空間が不要となる液晶表示装置を用いている。また、表示装置に液晶表示装置を用いることにより、プロジェクタタイプの表示装置のように冷却装置などの高価な周辺部材が不要となる。このようにして、遊技機の小型化および低価格化を達成することが可能となる。【００５２】
以上により、大画面を表示させることが可能でありながら遊技機の小型化および低価格化を図ることのできる表示装置を備えた遊技機を実現することができる。【００５３】
また、図１や図６の構成によれば、鏡面部材３の反射面が、遊技内容を展開するための部材３ａが設けられているステージとなっているので、鏡面部材３上の領域が遊技内容が展開される領域として有効に利用され、遊技機のいっそうの小型化を図ることができる。【００５４】
さらに、図１のように、ステージとなっている鏡面部材３の反射面が斜め上方を向くようにすれば、パチンコ、ピンボール、スマートボールなどのように、落下移動などの重力を利用した遊技内容を展開することができる。【００５５】
次に、図７に、遊技台１の他の構成を示す。【００５６】
この遊技台１は、鏡面部材３には図１の構成とは異なって遊技内容を展開するための部材３ａが設けられておらず、液晶モジュール２の表示面と鏡面部材３の反射面との前方に、遊技内容を展開するための部材５ａが設けられたステージ５を備えている。ステージ５はアクリル樹脂などを用いた透明板からなり、画像光Ｌ１・Ｌ２を透過させる。【００５７】
このような場合にも、画像光Ｌ１と、画像光Ｌ２とをステージ５を透過させて、遊技台１の背景画像を表示することができる。また、ステージ５のように、遊技内容が展開される領域が大きい場合でも、遊技台１の背景画像を表示することができる。【００５８】
また、以上に述べた液晶モジュール２の画像データとしては、静止画データのみならず動画データも可能である。供給する画像データを変えれば、遊技台の背景画像を任意に変更可能であるので、遊技者に多種多様な視覚効果を提供することができる。画像データは、液晶モジュール２内に格納されていてもよいし、液晶モジュール２の外部から液晶モジュール２に供給されるようになっていてもよい。【００５９】
また、以上に述べた遊技機では、液晶表示装置と反射部材とが接続されて背景画像を１つの画面で形成することを可能としたが、必ずしもこの構成に限ることはなく、液晶表示装置と反射部材とが接続されずに、互いに分離された複数の画面を形成するようにしてもよい。【００６０】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。【００６１】
本発明の遊技機は、以上のように、第１の角度範囲と第２の角度範囲とに互いに異なる画像の画像光を出射可能な液晶表示装置と、前記液晶表示装置から前記第２の角度範囲に出射された画像光を反射する反射部材とを備え、前記液晶表示装置から前記第１の角度範囲に出射された画像光と、前記反射部材によって反射された画像光とにより、遊技者からのアクションに応じて遊技内容が展開される遊技台の背景画像を表示する。【００６２】
以上により、大画面を表示させることが可能でありながら遊技機の小型化および低価格化を図ることのできる表示装置を備えた遊技機を実現することができるという効果を奏する。【００６３】
発明の詳細な説明の項においてなされた具体的な実施形態または実施例は、あくまでも、本発明の技術内容を明らかにするものであって、そのような具体例にのみ限定して狭義に解釈されるべきものではなく、本発明の精神と次に記載する請求の範囲内において、いろいろと変更して実施することができるものである。
【産業上の利用可能性】
【００６４】
本発明は、パチンコ、スロットマシン、パチンコスロット、ピンボール、スマートボールなどの遊技機に好適に適用できる。
【図１】
2008032474.tif 000003
【図２】
2008032474.tif 000004
【図３】
2008032474.tif 000005
【図４】
2008032474.tif 000006
【図５】
2008032474.tif 000007
【図６】
2008032474.tif 000008
【図７】
2008032474.tif 000009
【図８】
2008032474.tif 000010
【図９】
2008032474.tif 000011
【国際調査報告】
2008032474.tif 000012
2008032474.tif 000013
2008032474.tif 000014
2008032474.tif 000015